(57)【特許請求の範囲】
【請求項１】
発光素子および該発光素子からの光を前方へ向けて反射させるリフレクタを備えた車両用灯具において、
上記リフレクタの反射面は、複数の反射素子が上下方向に列状に配置されるとともに、これら列状に配置された複数の反射素子が左右方向に複数組配置された構成となっており、
上記複数の反射素子は、互いに隣接する各組相互間において上下方向にずれた位置に配置されており、
上記各反射素子は、該反射素子と上下方向にずれた状態で左右方向に隣接する少なくとも１つの反射素子に対して、鉛直面から左右方向に傾斜した方向に延びる境界線を介して接続されており、
上記各反射素子の表面は、鉛直断面の曲率よりも水平断面の曲率が大きい曲面で構成されており、
上記発光素子および上記リフレクタが車幅方向に並列で複数組配置されており、
上記複数のリフレクタは、互いに隣接するリフレクタ同士が前後方向にずれた状態で一体的に形成されており、
上記各リフレクタ相互間に段差として形成される側壁面に、前後方向に延びる複数の拡散反射素子が上下方向に並んだ状態で形成されている、ことを特徴とする車両用灯具。
【請求項２】
上記複数の反射素子は、上記各組相互間において上下方向および／または左右方向に半ピッチずれた位置に配置されている、ことを特徴とする請求項１記載の車両用灯具。
【請求項３】
上記各反射素子は、左右幅よりも上下幅が大きい外形形状を有している、ことを特徴とする請求項１または２記載の車両用灯具。
【請求項４】
上記リフレクタは、上記発光素子の下方側に配置されており、
上記発光素子は、該発光素子の発光面を下向きにした状態で配置されている、ことを特徴とする請求項１〜３いずれか記載の車両用灯具。
【請求項５】
上記車両用灯具がリアフォグランプである、ことを特徴とする請求項１〜４いずれか記載の車両用灯具。
【発明の詳細な説明】
【技術分野】
【０００１】
本願発明は、発光素子およびリフレクタを備えた車両用灯具に関するものである。
【背景技術】
【０００２】
従来より、車両用灯具の構成として、光源および該光源からの光を前方へ向けて反射させるリフレクタを備えたものが知られている。
【０００３】
「特許文献１」には、このような車両用灯具におけるリフレクタの構成として、上下複数段に区分けされた領域に複数の反射素子がそれぞれ配置された反射面を有するものが記載されている。
【先行技術文献】
【特許文献】
【０００４】
【特許文献１】特開平１０−１５４４０４号公報
【発明の概要】
【発明が解決しようとする課題】
【０００５】
車両用灯具からの照射光によって形成すべき配光パターンは横長の配光パターンであることが多い。その際、灯具の種類によっては、横長の配光パターンではあっても、その左右両端部の上下両端に位置する領域の明るさをあまり必要としない場合がある。
【０００６】
このような場合には、横長矩形状の配光パターンではなく、その四隅が欠けた配光パターンを形成した方が、本来照射すべき部分の明るさを増大させることができるので好ましい。
【０００７】
しかしながら、上記従来の車両用灯具は、各反射素子が矩形状の外形形状を有しているので、横長矩形状の配光パターンを形成することは比較的容易であるが、その四隅が欠けた横長の配光パターンを形成することは困難である。
【０００８】
本願発明は、このような事情に鑑みてなされたものであって、発光素子およびリフレクタを備えた車両用灯具において、四隅が欠けた横長の配光パターンを明るい配光パターンとして形成することができる車両用灯具を提供することを目的とするものである。
【課題を解決するための手段】
【０００９】
本願発明は、複数の反射素子の配置に工夫を施すことにより、上記目的達成を図るようにしたものである。
【００１０】
すなわち、本願発明に係る車両用灯具は、
発光素子および該発光素子からの光を前方へ向けて反射させるリフレクタを備えた車両用灯具において、
上記リフレクタの反射面は、複数の反射素子が上下方向に列状に配置されるとともに、これら列状に配置された複数の反射素子が左右方向に複数組配置された構成となっており、
上記複数の反射素子は、互いに隣接する各組相互間において上下方向にずれた位置に配置されており、
上記各反射素子は、該反射素子と上下方向にずれた状態で左右方向に隣接する少なくとも１つの反射素子に対して、鉛直面から左右方向に傾斜した方向に延びる境界線を介して接続されており、
上記各反射素子の表面は、鉛直断面の曲率よりも水平断面の曲率が大きい曲面で構成されており、
上記発光素子および上記リフレクタが車幅方向に並列で複数組配置されており、
上記複数のリフレクタは、互いに隣接するリフレクタ同士が前後方向にずれた状態で一体的に形成されており、
上記各リフレクタ相互間に段差として形成される側壁面に、前後方向に延びる複数の拡散反射素子が上下方向に並んだ状態で形成されている、ことを特徴とするものである。
【００１１】
上記「車両用灯具」の種類は特に限定されるものではなく、例えば、リアフォグランプやデイタイムランニングランプ等が採用可能である。
【００１２】
上記「発光素子」の種類は特に限定されるものではなく、例えば、発光ダイオードやレーザダイオード等が採用可能である。
【００１３】
上記「複数の反射素子」は、互いに隣接する各組相互間において上下方向にずれた位置に配置されているが、その際の上下方向のずれの具体的な大きさは特に限定されるものではない。
【００１４】
上記「境界線」は、鉛直面から左右方向に傾斜した方向（すなわち鉛直方向と水平方向との間に位置する方向）に延びていれば、その具体的な傾斜角度や長さは特に限定されるものではない。また、上記「境界線」は、直線状に延びていてもよいし、曲線状に延びていてもよい。
【００１５】
上記「各反射素子の表面」は、鉛直断面の曲率よりも水平断面の曲率が大きい曲面で構成されていれば、その具体的な形状は特に限定されるものではない。また、上記「各反射素子の表面」は、凸面状に形成されていてもよいし、凹面状に形成されていてもよい。
【発明の効果】
【００１６】
本願発明に係る車両用灯具において、そのリフレクタの反射面は複数の反射素子が上下方向に列状に配置されるとともにこれら列状に配置された複数の反射素子が左右方向に複数組配置された構成となっているが、これら各反射素子の表面は鉛直断面の曲率よりも水平断面の曲率が大きい曲面で構成されているので、各反射素子からの反射光によって横長の配光パターンを形成することが容易に可能となる。
【００１７】
その際、各反射素子は、該反射素子と上下方向にずれた状態で左右方向に隣接する少なくとも１つの反射素子に対して、鉛直面から左右方向に傾斜した方向に延びる境界線を介して接続されているので、各反射素子からの反射光によって形成される横長の配光パターンを、四隅が欠けた配光パターンとすることが可能となる。
【００１８】
そして、この欠けた四隅の部分を形成するために従来用いられていた反射領域を、複数の反射素子の一部として活用することができるので、四隅が欠けた分だけ配光パターンを明るくすることができる。
【００１９】
このように本願発明によれば、発光素子およびリフレクタを備えた車両用灯具において、四隅が欠けた横長の配光パターンを明るい配光パターンとして形成することができる。
【００２０】
上記構成において、複数の反射素子が各組相互間において上下方向および／または左右方向に半ピッチずれた位置に配置された構成とすれば、複数の反射素子を各組相互間において隙間なく配置することができる。そしてこれにより四隅が欠けた横長の配光パターンを効率良く形成することができる。
【００２１】
上記構成において、各反射素子の構成として、左右幅よりも上下幅が大きい外形形状を有するものとすれば、次のような作用効果を得ることができる。
【００２２】
すなわち、各反射素子の表面は、上述したとおり鉛直断面の曲率よりも水平断面の曲率が大きい曲面で構成されているので、各反射素子の外形形状を左右幅よりも上下幅を大きいものとすることにより、各反射素子の外周縁の位置をリフレクタの肉厚方向に関して揃えることが容易に可能となる。そしてこれによりリフレクタの肉厚が不用意に厚くならないようにすることができる。
【００２３】
上記構成において、リフレクタが発光素子の下方側に配置されるとともに、発光素子がその発光面を下向きにした状態で配置された構成とすれば、次のような作用効果を得ることができる。
【００２４】
すなわち、発光素子がその発光面を下向きにした状態で配置された構成とすることにより、灯具外部から発光素子およびその支持構造を見えにくくすることができ、かつ発光素子の放熱機能を確保することが容易に可能となる。
【００２５】
上記構成において、発光素子およびリフレクタが複数組配置された構成とすれば、四隅が欠けた横長の配光パターンを、より明るい配光パターンとして形成することができ、また、より均一な明るさの配光パターンとして形成することができる。
【図面の簡単な説明】
【００２６】
【図１】本願発明の一実施形態に係る車両用灯具を示す正面図
【図２】図１のII−II線断面図
【図３】図１のIII−III線断面図
【図４】上記車両用灯具におけるリフレクタの反射面の成立ちを説明するための正面図
【図５】（ａ）は図４（ｃ）の要部を拡大して示す図、（ｂ）は図５（ａ）のＢ−Ｂ線断面図、（ｃ）は図５（ａ）のＣ−Ｃ線断面図
【図６】（ａ）は上記車両用灯具からの照射光により灯具前方に配置された仮想鉛直スクリーン上に形成される配光パターンを示す図、（ｂ）は上記配光パターンのＶ−Ｖ線に沿った光度分布を示す図、（ｃ）は上記配光パターンのＨ−Ｈ線に沿った光度分布を示す図
【図７】上記実施形態の第１〜第３変形例を示す、図５（ａ）と同様の図
【図８】上記実施形態の第４〜第６変形例を示す、図５（ａ）と同様の図
【発明を実施するための形態】
【００２７】
以下、図面を用いて、本願発明の実施の形態について説明する。
【００２８】
図１は、本願発明の一実施形態に係る車両用灯具１０を示す正面図である。また、図２は、図１のII−II線断面図であり、図３は、図１のIII−III線断面図である。
【００２９】
これらの図に示すように、本実施形態に係る車両用灯具１０は、車両の左後端部に配置されるリアフォグランプである。
【００３０】
なお、車両用灯具１０としては、図２において、Ｘで示す方向が「前方」（車両としては「後方」）であり、Ｙで示す方向が「前方」と直交する「右方向」（車両としても「右方向」）である。
【００３１】
この車両用灯具１０は、ランプボディ１２とその前端開口部に取り付けられた素通し状の透光カバー１４とで形成される灯室内に、３つの灯具ユニット２０Ａ、２０Ｂ、２０Ｃが組み込まれた構成となっている。
【００３２】
３つの灯具ユニット２０Ａ、２０Ｂ、２０Ｃは、車幅方向に並列に配置されており、かつ車幅方向外側に位置するものほど後方側に変位した状態で配置されている。
【００３３】
各灯具ユニット２０Ａ、２０Ｂ、２０Ｃは、いずれも発光素子３０とリフレクタ４０とを備えたリフレクタユニットとして構成されており、共通の支持部材５０に支持されている。
【００３４】
この支持部材５０は、板状の樹脂部材の表面にプリント回路基板（図示せず）が形成された構成となっており、そのプリント回路基板に各灯具ユニット２０Ａ、２０Ｂ、２０Ｃの発光素子３０が搭載されている。
【００３５】
各灯具ユニット２０Ａ、２０Ｂ、２０Ｃの基本的な構成は、いずれも同様であるが、そのリフレクタ４０の構成が一部異なっている。
【００３６】
すなわち、各灯具ユニット２０Ａ、２０Ｂ、２０Ｃのリフレクタ４０は互いに一体的に形成されており、その際、各灯具ユニット２０Ａ、２０Ｂに対してそれぞれ後方側に変位した各灯具ユニット２０Ｂ、２０Ｃのリフレクタ４０には、その段差として形成された右側壁面に、前後方向に延びる複数の拡散反射素子４０ｂが上下方向に並んだ状態で形成されている。
【００３７】
上述したとおり、各灯具ユニット２０Ａ、２０Ｂ、２０Ｃは、その基本的な構成がいずれも同様であることから、以下においては右端部に位置する灯具ユニット２０Ａの構成について説明する。
【００３８】
発光素子３０は、矩形状（例えば１ｍｍ角の正方形）の発光面３０ａを有する赤色発光ダイオードであって、その発光面３０ａを灯具前後方向に延びる光軸Ａｘ上において下向きにした状態で配置されている。その際、この発光素子３０は、その発光面３０ａの左右両端縁が車両前後方向に延びるようにした状態で配置されている。
【００３９】
リフレクタ４０は、パラボラ系の反射面４０ａを有している。
【００４０】
すなわち、この反射面４０ａは、光軸Ａｘを中心軸とする回転放物面Ｐｒ（図３参照）を基準面として形成された複数の反射素子４０ｓを備えている。そして、これら複数の反射素子４０ｓによって、発光素子３０からの出射光を前方へ向けて反射制御するようになっている。その際、各反射素子４０ｓは、発光素子３０からの出射光を左右方向に比較的大きい拡散角度で拡散させるとともに上下方向に比較的小さい拡散角度で拡散させるようになっている。
【００４１】
この反射面４０ａは、灯具正面視において略矩形状の外形形状を有しており、その上端縁の位置が光軸Ａｘと略同じ高さに設定されている。
【００４２】
次に、リフレクタ４０の反射面４０ａの具体的な構成について説明する。
【００４３】
図１に示すように、この反射面４０ａは、複数の反射素子４０ｓが上下方向に列状に配置されるとともに、これら列状に配置された複数の反射素子４０ｓが左右方向に複数組配置された構成となっている。
【００４４】
これら複数の反射素子４０ｓは、互いに隣接する各組相互間において上下方向にずれた位置に配置されている。そして、これら各反射素子４０ｓは、該反射素子４０ｓと上下方向にずれた状態で左右方向に隣接する４つの反射素子４０ｓの各々に対して、鉛直面から左右方向に傾斜した方向に延びる境界線Ｌを介して接続されている。
【００４５】
各反射素子４０ｓは、灯具正面視において縦長六角形の外形形状（すなわち左右幅よりも上下幅が大きい外形形状）を有している。その際、これら各反射素子４０ｓは、灯具正面視において同一の外形形状を有している。
【００４６】
図４は、リフレクタ４０の反射面４０ａの成立ちを説明するための正面図である。
【００４７】
図４（ｃ）に示すように、この反射面４０ａを構成する複数の反射素子４０ｓは、図４（ａ）に示す複数の反射素子４０ｓ１と図４（ｂ）に示す複数の反射素子４０ｓ２との重ね合わせによって形成されている。
【００４８】
同図（ａ）に示すように、複数の反射素子４０ｓ１は、灯具正面視において縦長矩形状（例えば縦横比２：１の矩形状）に形成された反射素子４０ｓ１が上下方向に列状に連続して複数個配置されるとともに、これら列状に配置された複数の反射素子４０ｓ１が左右方向に多少の間隔をおいて等ピッチで複数組配置されている。
【００４９】
一方、同図（ｂ）に示すように、複数の反射素子４０ｓ２は、灯具正面視において各反射素子４０ｓ１と同一の外形形状を有する反射素子４０ｓ２が上下方向に列状に連続して複数個配置されるとともに、これら列状に配置された複数の反射素子４０ｓ２が左右方向に多少の間隔をおいて等ピッチで複数組配置された構成となっている。
【００５０】
その際、各反射素子４０ｓ２は、各反射素子４０ｓ１に対して上下方向に半ピッチずれた状態で配置されており、また、左右方向に関しては、互いに隣接する２組の列の反射素子４０ｓ１の中央に位置するように配置されている。
【００５１】
これにより、同図（ｃ）に示すように、反射面４０ａとしては、各反射素子４０ｓ１と各反射素子４０ｓ２とが上下方向に半分重複するとともに左右方向に僅かに（例えば１／４程度）重複した表面形状となっている。
【００５２】
そして、各反射素子４０ｓ１と各反射素子４０ｓ２との交線として、鉛直面から左右方向に傾斜した方向に延びる境界線Ｌが４箇所に形成されることとなる。その際、各反射素子４０ｓ１と各反射素子４０ｓ２との左右方向の重複の程度が小さいので、各境界線Ｌの鉛直面からの傾斜角度は比較的小さいものとなる。
【００５３】
したがって、各反射素子４０ｓとしては、灯具正面視において４本の境界線Ｌと上下１対の辺で囲まれた縦長六角形の外形形状（すなわち各反射素子４０ｓ２の四隅が欠落した外形形状）を有するものとなる。
【００５４】
図５（ａ）は、図４（ｃ）の要部を拡大して示す図である。また、図５（ｂ）は、図５（ａ）のＢ−Ｂ線断面図であり、図５（ｃ）は、図５（ａ）のＣ−Ｃ線断面図である。
【００５５】
これらの図に示すように、各反射素子４０ｓは、その表面が凸曲面で構成されている。その際、この凸曲面の鉛直断面の曲率半径Ｒｖは、その水平断面の曲率半径Ｒｈよりも大きい値に設定されている。すなわち、各反射素子４０ｓの表面は、鉛直断面の曲率よりも水平断面の曲率が大きい曲面で構成されている。
【００５６】
図６（ａ）は、車両用灯具１０からの照射光により、灯具前方に配置された仮想鉛直スクリーン上に形成される配光パターンＰを示す図である。
【００５７】
この配光パターンＰは、灯具正面方向の消点であるＨ−Ｖを鉛直方向に通るＶ−Ｖ線を中心にして左右両側に拡がる横長の配光パターンとして形成されている。
【００５８】
この配光パターンＰが横長の配光パターンとして形成されるのは、各反射素子４０ｓの表面が鉛直断面の曲率よりも水平断面の曲率が大きい曲面で構成されており、これにより発光素子３０からの出射光が各反射素子４０ｓにおいて左右方向に比較的大きい拡散角度で拡散するとともに上下方向に比較的小さい拡散角度で拡散することによるものである。
【００５９】
この配光パターンＰは、横長の配光パターンではあるが、四隅が欠けた配光パターンとなっている。
【００６０】
これは、各反射素子４０ｓが、縦長六角形の外形形状を有しており、横長矩形状の配光パターンにおける四隅の部分を照射するための四隅の反射領域が欠落しているためである。
【００６１】
なお、図６（ａ）において２点鎖線で示す横長矩形状の配光パターンＰ´は、仮に各反射素子４０ｓが従来のように縦長矩形状の外形形状を有しているとした場合に形成される配光パターンである。
【００６２】
配光パターンＰは配光パターンＰ´に対して四隅が欠けた配光パターンとなっているが、この欠けた四隅の部分を形成するために従来用いられていた反射領域は複数の反射素子４０ｓの一部として利用されるので、配光パターンＰは配光パターンＰ´よりも明るい配光パターンとなる。
【００６３】
図６（ｂ）は、配光パターンＰのＶ−Ｖ線に沿った光度分布を示す図であり、図６（ｃ）は、そのＨ−Ｈ線に沿った光度分布を示す図である。
【００６４】
これらの図に示すように、配光パターンＰの光度Ｉは、Ｈ−Ｖを中心にして上下両側の比較的小さい角度範囲および左右両側の比較的大きい角度範囲において略一定で高い値となっている。したがって、この配光パターンＰは、後続車両等への注意喚起を促すリアフォグランプの配光パターンとして相応しいものとなっている。
【００６５】
次に本実施形態の作用効果について説明する。
【００６６】
本実施形態に係る車両用灯具１０において、リフレクタ４０の反射面４０ａは複数の反射素子４０ｓが上下方向に列状に配置されるとともにこれら列状に配置された複数の反射素子４０ｓが左右方向に複数組配置された構成となっているが、これら各反射素子４０ｓの表面は鉛直断面の曲率よりも水平断面の曲率が大きい曲面で構成されているので、各反射素子４０ｓからの反射光によって横長の配光パターンＰを形成することが容易に可能となる。
【００６７】
その際、各反射素子４０ｓは、該反射素子４０ｓと上下方向にずれた状態で左右方向に隣接する４つの反射素子４０ｓの各々に対して、鉛直面から左右方向に傾斜した方向に延びる境界線Ｌを介して接続されているので、各反射素子４０ｓからの反射光によって形成される横長の配光パターンＰを、四隅が欠けた配光パターンとすることができる。
【００６８】
そして、この欠けた四隅の部分を形成するために従来用いられていた反射領域を、複数の反射素子４０ｓの一部として活用することができるので、四隅が欠けた分だけ配光パターンＰを明るくすることができる。
【００６９】
このように本実施形態によれば、発光素子３０およびリフレクタ４０を備えた車両用灯具１０において、四隅が欠けた横長の配光パターンＰを明るい配光パターンとして形成することができる。
【００７０】
その際、本実施形態においては、複数の反射素子４０ｓが各組相互間において上下方向に半ピッチずれた位置に配置されているので、複数の反射素子４０ｓを各組相互間において隙間なく配置することができる。そしてこれにより四隅が欠けた横長の配光パターンＰを効率良く形成することができる。
【００７１】
しかも、各反射素子４０ｓは、左右幅よりも上下幅が大きい外形形状を有しているので、次のような作用効果を得ることができる。
【００７２】
すなわち、各反射素子４０ｓの表面は、上述したとおり鉛直断面の曲率よりも水平断面の曲率が大きい曲面で構成されているので、各反射素子４０ｓの外形形状を左右幅よりも上下幅を大きいものとすることにより、各反射素子４０ｓの外周縁の位置をリフレクタ４０の肉厚方向に関して揃えることが容易に可能となる。そしてこれによりリフレクタ４０の肉厚が不用意に厚くならないようにすることができる。
【００７３】
また本実施形態においては、リフレクタ４０が発光素子３０の下方側に配置されるとともに、発光素子３０がその発光面３０ａを下向きにした状態で配置されているので、次のような作用効果を得ることができる。
【００７４】
すなわち、発光素子３０がその発光面３０ａを下向きにした状態で配置された構成とすることにより、灯具外部から発光素子３０およびその支持部材５０を見えにくくすることができ、かつ発光素子３０の放熱機能を確保することが容易に可能となる。
【００７５】
さらに、本実施形態に係る車両用灯具１０は、３つの灯具ユニット２０Ａ、２０Ｂ、２０Ｃを備えているので、これら各灯具ユニット２０Ａ、２０Ｂ、２０Ｃからの照射光により形成される配光パターンの合成配光パターンとして配光パターンＰを形成することができる。そしてこれにより、四隅が欠けた横長の配光パターンＰを、より明るくより均一な明るさの配光パターンとして形成することができる。
【００７６】
また本実施形態においては、各灯具ユニット２０Ａ、２０Ｂに対してそれぞれ後方側に変位した各灯具ユニット２０Ｂ、２０Ｃのリフレクタ４０における右側壁面に、前後方向に延びる複数の拡散反射素子４０ｂが上下方向に並んだ状態で形成されているので、これら各リフレクタ４０の右側壁面に到達した発光素子３０からの光を上下方向に拡散する光として反射させることができる。そしてこれにより、配光パターンＰの周囲に光溜りが不用意に形成されてしまうのを効果的に抑制することができる。
【００７７】
上記実施形態においては、３つの灯具ユニット２０Ａ、２０Ｂ、２０Ｃを備えているものとして説明したが、４つ以上または２つ以下の灯具ユニットを備えた構成とすることも可能である。
【００７８】
上記実施形態においては、３つの灯具ユニット２０Ａ、２０Ｂ、２０Ｃがいずれも同様の構成を有しているものとして説明したが、各灯具ユニット２０Ａ、２０Ｂ、２０Ｃ毎にリフレクタ４０の反射面４０ａを構成する各反射素子４０ｓの表面形状や外形形状を異なったものとすることも可能である。
【００７９】
上記実施形態においては、リフレクタ４０の反射面４０ａの全領域にわたって各反射素子４０ｓが該反射素子４０ｓと上下方向にずれた状態で左右方向に隣接する４つの反射素子４０ｓの各々に対して鉛直面から左右方向に傾斜した方向に延びる境界線Ｌを介して接続されているものとして説明したが、反射面４０ａの一部領域においてこのような構成を備えていない場合であっても、実質的に四隅が欠けた横長の配光パターンＰを明るい配光パターンとして形成することが可能である。
【００８０】
上記実施形態においては、発光素子３０がその発光面３０ａを下向きにした状態で配置されるとともに、その下方側にリフレクタ４０が配置されているものとして説明したが、発光素子３０がその発光面３０ａを上向きや横向きにした状態で配置されるとともに、これと対向する位置にリフレクタ４０が配置された構成とすることも可能である。
【００８１】
上記実施形態においては、支持部材５０が、板状の樹脂部材の表面にプリント回路基板が形成された構成となっているものとして説明したが、樹脂部材の代わりにアルミ板等の金属部材を用いることも可能であり、また、プリント回路基板の代わりにフレキシブルプリント回路基板を用いることも可能である。
【００８２】
上記実施形態においては、車両用灯具１０が車両の左後端部に配置されるリアフォグランプであるものとして説明したが、車両の右後端部に配置されるリアフォグランプあるいは他の種類の灯具（例えば、クリアランスランプ、デイタイムランニングランプ、テールランプ、ストップランプ等）として構成することも可能である。その際、灯具の種類等に応じて、発光素子３０の発光色を白色やアンバー色等にすることも可能である。
【００８３】
上記実施形態においては、車両用灯具１０がランプボディ１２と透光カバー１４とで形成される灯室内に３つの灯具ユニット２０Ａ、２０Ｂ、２０Ｃが組み込まれた構成となっているものとして説明したが、車両用灯具１０がクリアランスランプやデイタイムランニングランプ等である場合には、ヘッドランプのランプボディと透光カバーとで形成される灯室内に３つの灯具ユニット２０Ａ、２０Ｂ、２０Ｃが組み込まれた構成とすることも可能である。
【００８４】
次に、上記実施形態のリフレクタ４０の反射面４０ａの各種変形例について説明する。
【００８５】
図７（ａ）は、第１変形例に係る反射面１４０ａを示す、図５（ａ）と同様の図である。
【００８６】
この反射面１４０ａを構成する複数の反射素子１４０ｓは、複数の反射素子１４０ｓ１と複数の反射素子１４０ｓ２との重ね合わせによって形成されている。これら各反射素子１４０ｓ１、１４０ｓ２の外形形状は上記実施形態の各反射素子４０ｓ１、４０ｓ２と同様であるが、その重複の態様が上記実施形態の場合と異なっている。
【００８７】
すなわち本変形例においては、各反射素子１４０ｓ１と各反射素子１４０ｓ２とが、上下方向だけでなく左右方向にも半ピッチずれた状態で配置されている。したがって、各反射素子１４０ｓとしては、灯具正面視において、各反射素子１４０ｓ１と各反射素子１４０ｓ２との交線として鉛直面から左右方向に傾斜した方向に延びる４本の境界線Ｌで囲まれた縦長菱形の外形形状（すなわち各反射素子１４０ｓ２の四隅が欠落した外形形状）を有するものとなっている。
【００８８】
本変形例においても、各反射素子１４０ｓの表面は、鉛直断面の曲率よりも水平断面の曲率が大きい曲面で構成されている。したがって本変形例においても、四隅が欠けた横長の配光パターンＰを明るい配光パターンとして形成することができる。
【００８９】
図７（ｂ）は、第２変形例に係る反射面２４０ａを示す、図５（ａ）と同様の図である。
【００９０】
この反射面２４０ａを構成する複数の反射素子２４０ｓは、複数の反射素子１４０ｓ１と複数の反射素子２４０ｓ２との重ね合わせによって形成されている。これら各反射素子２４０ｓ１、２４０ｓ２の外形形状は上記実施形態の各反射素子４０ｓ１、４０ｓ２と同様であるが、その重複の態様が上記実施形態の場合と異なっている。
【００９１】
すなわち本変形例においては、各反射素子２４０ｓ１と各反射素子２４０ｓ２とが、左右方向に半ピッチずれるとともに上下方向に１／３程度重複した状態で配置されている。したがって、各反射素子２４０ｓとしては、灯具正面視において、各反射素子２４０ｓ１と各反射素子２４０ｓ２との交線として鉛直面から左右方向に傾斜した方向に延びる４つの境界線Ｌと左右１対の辺とで囲まれた縦長六角形の外形形状（すなわち各反射素子１４０ｓ２の四隅が欠落した外形形状）を有するものとなっている。
【００９２】
本変形例においても、各反射素子２４０ｓの表面は、鉛直断面の曲率よりも水平断面の曲率が大きい曲面で構成されている。したがって本変形例においても、四隅が欠けた横長の配光パターンＰを明るい配光パターンとして形成することができる。
【００９３】
図７（ｃ）は、第３変形例に係る反射面３４０ａを示す、図５（ａ）と同様の図である。
【００９４】
この反射面３４０ａを構成する複数の反射素子３４０ｓは、複数の反射素子３４０ｓ１と複数の反射素子３４０ｓ２との重ね合わせによって形成されている。これら各反射素子３４０ｓ１、３４０ｓ２の外形形状は上記実施形態の各反射素子４０ｓ１、４０ｓ２と同様であるが、その重複の態様が上記実施形態の場合と異なっている。
【００９５】
すなわち本変形例においては、各反射素子３４０ｓ１と各反射素子３４０ｓ２とが、左右方向に１／４程度重複するとともに上下方向に１／３程度重複した状態で配置されている。したがって、各反射素子３４０ｓ１としては、灯具正面視において、各反射素子３４０ｓ１と各反射素子３４０ｓ２との交線として鉛直面から左右方向に傾斜した方向に延びる４つの境界線Ｌと上下１対の辺と左右１対の辺とで囲まれた縦長八角形の外形形状（すなわち各反射素子３４０ｓ２の四隅が欠落した外形形状）を有するものとなっている。
【００９６】
本変形例においても、各反射素子３４０ｓの表面は、鉛直断面の曲率よりも水平断面の曲率が大きい曲面で構成されている。したがって本変形例においても、四隅が欠けた横長の配光パターンＰを明るい配光パターンとして形成することができる。
【００９７】
なお、本変形例のような反射面３４０ａの構成を採用した場合には、上下方向に隣接する１対の反射素子３４０ｓ２と左右方向に隣接する１対の反射素子３４０ｓ１とで囲まれた矩形状の微小反射領域３４０ｃが複数箇所に形成されることとなる。
【００９８】
これら各微小反射領域３４０ｃについては、その表面形状を適宜設定することが可能である。その際、これら各微小反射領域３４０ｃの表面形状を回転放物面Ｐｒのままの形状に設定すれば、横長の配光パターンＰの中心光度を高めることができ、また、回転放物面Ｐｒとは異なる凸曲面状あるいは凹曲面状に設定すれば、横長の配光パターンＰ全体の明るさを高めることができる。
【００９９】
図８（ａ）は、第４変形例に係る反射面４４０ａを示す、図５（ａ）と同様の図である。
【０１００】
この反射面４４０ａを構成する複数の反射素子４４０ｓＡ、４４０ｓＢは、複数の反射素子４４０ｓ１と複数の反射素子４４０ｓ２との重ね合わせによって形成されている。その際、各反射素子４４０ｓ２の外形形状は上記実施形態の各反射素子４０ｓ２と同様であるが、各反射素子４４０ｓ１の外形形状は上記実施形態の各反射素子４０ｓ１に対して左右幅がやや小さくなっている。
【０１０１】
本変形例においても、各反射素子４４０ｓＡ、４４０ｓＢの表面は、いずれも鉛直断面の曲率よりも水平断面の曲率が大きい曲面で構成されている。その際、各反射素子４４０ｓＡ、４４０ｓＢからの反射光の左右拡散角が略同じ値となるようにするため、左右幅が小さい各反射素子４４０ｓＢは左右幅が大きい各反射素子４４０ｓＡよりも水平断面の曲率が大きい値に設定されている。
【０１０２】
本変形例においては、各反射素子４４０ｓ１と各反射素子４４０ｓ２とが、上下方向に半ピッチずれるとともに左右方向に１／４〜１／３程度重複した状態で配置されている。したがって、各反射素子４４０ｓＡ、４４０ｓＢとしては、灯具正面視において、各反射素子４４０ｓ１と各反射素子３４０ｓ２との交線として鉛直面から左右方向に傾斜した方向に延びる４つの境界線Ｌと上下１対の辺とで囲まれた略縦長六角形の外形形状（すなわち各反射素子４４０ｓ１、４４０ｓ２の四隅が欠落した外形形状）を有するものとなる。
【０１０３】
ただし、各境界線Ｌは灯具正面視において曲線状に延びるように形成されたものとなる。これは各反射素子４４０ｓＡ、４４０ｓＢ相互間で水平断面の曲率が異なっていることによるものである。このため、各反射素子４４０ｓ１の四隅が欠落した外形形状の各反射素子４４０ｓＡは、各境界線Ｌの部分が膨らんだ略縦長六角形の外形形状となり、また、各反射素子４４０ｓ２の四隅が欠落した外形形状の各反射素子４４０ｓＢは、各境界線Ｌの部分が凹んだ略縦長六角形の外形形状となる。
【０１０４】
本変形例の構成を採用した場合においても、四隅が欠けた横長の配光パターンＰを明るい配光パターンとして形成することができる。
【０１０５】
図８（ｂ）は、第５変形例に係る反射面５４０ａを示す、図５（ａ）と同様の図である。
【０１０６】
この反射面５４０ａを構成する複数の反射素子５４０ｓは、複数の反射素子５４０ｓ１と複数の反射素子５４０ｓ２との重ね合わせによって形成されている。これら各反射素子５４０ｓ１、５４０ｓ２は、いずれも正方形の外形形状を有しており同一サイズで形成されている。
【０１０７】
そして本変形例においては、各反射素子５４０ｓ１と各反射素子５４０ｓ２とが、上下方向だけでなく左右方向にも半ピッチずれた状態で配置されている。したがって、各反射素子５４０ｓとしては、灯具正面視において、各反射素子５４０ｓ１と各反射素子５４０ｓ２との交線として鉛直面から左右方向に傾斜した方向に延びる４本の境界線Ｌで囲まれた菱形の外形形状（すなわち各反射素子５４０ｓ２の四隅が欠落した外形形状）を有するものとなっている。
【０１０８】
本変形例においても、各反射素子５４０ｓの表面は、鉛直断面の曲率よりも水平断面の曲率が大きい曲面で構成されている。したがって本変形例においても、四隅が欠けた横長の配光パターンＰを明るい配光パターンとして形成することができる。
【０１０９】
図８（ｃ）は、第６変形例に係る反射面６４０ａを示す、図５（ａ）と同様の図である。
【０１１０】
この反射面６４０ａを構成する複数の反射素子６４０ｓは、複数の反射素子６４０ｓ１と複数の反射素子６４０ｓ２との重ね合わせによって形成されている。これら各反射素子６４０ｓ１、６４０ｓ２は、いずれも正方形の外形形状を有しており同一サイズで形成されている。
【０１１１】
そして本変形例においては、各反射素子６４０ｓ１と各反射素子６４０ｓ２とが、左右方向に半ピッチずれるとともに上下方向に１／４程度重複した状態で配置されている。したがって、各反射素子６４０ｓとしては、灯具正面視において、各反射素子６４０ｓ１と各反射素子６４０ｓ２との交線として鉛直面から左右方向に傾斜した方向に延びる４つの境界線Ｌと左右１対の辺とで囲まれた六角形の外形形状（すなわち各反射素子６４０ｓ２の四隅が欠落した外形形状）を有するものとなっている。
【０１１２】
本変形例においても、各反射素子６４０ｓの表面は、鉛直断面の曲率よりも水平断面の曲率が大きい曲面で構成されている。したがって本変形例においても、四隅が欠けた横長の配光パターンＰを明るい配光パターンとして形成することができる。
【０１１３】
なお、上記実施形態およびその変形例において諸元として示した数値は一例にすぎず、これらを適宜異なる値に設定してもよいことはもちろんである。
【０１１４】
また、本願発明は、上記実施形態およびその変形例に記載された構成に限定されるものではなく、これ以外の種々の変更を加えた構成が採用可能である。
【符号の説明】
【０１１５】
１０  車両用灯具
１２  ランプボディ
１４  透光カバー
２０Ａ、２０Ｂ、２０Ｃ  灯具ユニット
３０  発光素子
３０ａ  発光面
４０  リフレクタ
４０ａ、１４０ａ、２４０ａ、３４０ａ、４４０ａ、５４０ａ、６４０ａ  反射面
４０ｂ  拡散反射素子
４０ｓ、４０ｓ１、４０ｓ２、１４０ｓ、１４０ｓ１、１４０ｓ２、２４０ｓ、２４０ｓ１、２４０ｓ２、３４０ｓ、３４０ｓ１、３４０ｓ２、４４０ｓＡ、４４０ｓＢ、４４０ｓ１、４４０ｓ２、５４０ｓ、５４０ｓ１、５４０ｓ２、６４０ｓ、６４０ｓ１、６４０ｓ２  反射素子
５０  支持部材
３４０ｃ  微小反射領域
Ａｘ  光軸
Ｉ  光度
Ｌ  境界線
Ｐ、Ｐ´  配光パターン
Ｐｒ  回転放物面
Ｒｈ  水平断面の曲率半径
Ｒｖ  鉛直断面の曲率半径
【図１】
0006587431.tif 000002
【図２】
0006587431.tif 000003
【図３】
0006587431.tif 000004
【図４】
0006587431.tif 000005
【図５】
0006587431.tif 000006
【図６】
0006587431.tif 000007
【図７】
0006587431.tif 000008
【図８】
0006587431.tif 000009